(57)【要約】      （修正有）【課題】取水時に自然に近くかつ周囲の景観に調和した取水位置に取水管を配置すると共に取水管の先端を川面より上部に移動して定期的に浮遊物除去部を清掃又は取り替え可能な河川取水装置を提供する。【解決手段】この河川取水装置は、川床の下部に設けられた地下室の上部壁に備えられ内部が防水されている貫通穴或いは貫通管の内部を上下に移動可能な取水管を有する。【選択図】なし【特許請求の範囲】
【請求項１】
川床の下部に設けられた地下室と、
前記地下室の上部壁に備えられ内部が防水されている貫通穴と、
前記貫通穴の内部を上下に移動可能な取水管とを有する河川取水装置
【請求項２】
川床の下部に設けられた地下室と、
前記地下室の上部壁に備えられ内部が防水されている貫通管と、   
前記貫通管の内部を上下に移動可能な取水管とを有する河川取水装置      
【請求項３】
前記取水管が上部に先端取水口を有するとともに下部に開閉可能な開閉弁部材を
有することを特徴とする請求項１記載或いは請求項２記載の河川取水装置
【請求項４】
前記貫通穴或いは前記貫通管の内部を上下に移動する前記取水管の前記先端取
水口の上部には掘削部材を配置し前記掘削部材によって川床の下部を掘削するこ
とによって前記取水管を推進移動すると共に掘削土を前記先端取水口より排出す
ることを特徴とする請求項３記載の河川取水装置
【請求項５】
前記取水管の前記先端取水口を河川の水面より上部に移動させて前記掘削部材
を前記先端取水口から着脱すると共に前記先端取水口を取水位置に復帰させるた
め前記取水管を下方向に移動することを特徴とする請求項４記載の河川取水装置
【請求項６】
先端取水口に取替え可能なスクリーンを具備する取水管とを有し
前記取水管が前記貫通穴或いは前記貫通管の内部を上下に移動することを特徴と
する請求項３、請求項４或いは請求項５記載の河川取水装置
【請求項７】
前記取水管の先端取水口を水面より上部に移動させて前記取水先端口に取り付け
られたスクリーンを清掃又は取替えるとともに、前記先端取水口を取水位置に復帰
させるため前記取水管を下方向に移動することを特徴とする請求項５記載の河川
取水装置
【請求項１１】
川床の下部に設けられた地下室と、
前記地下室の上部壁に備えられ内部が防水されている貫通穴或いは貫通管と、
前記貫通穴或いは前記貫通管の内部を上下に移動可能な移動貫通管と、
前記移動貫通管の内部を上下に移動可能な取水管とを有する河川取水装置
【請求項１２】
前記取水管が上部に先端取水口を有するとともに下部に開閉可能な開閉弁部材を
具備することを特徴とする請求項１１記載の河川取水装置
【請求項１３】
前記移動貫通管の上部には掘削部材を配置し前記掘削部材によって川床の下部
を掘削することによって前記移動貫通管を推進移動すると共に掘削土を前記取水
管の前記先端取水口より排出することを特徴とする請求項１２記載の河川取水装置
【請求項１４】
前記移動貫通管を河川の水面より上部に移動させて前記掘削部材を前記移動貫
通管から着脱すると共に前記移動貫通管及び前記先端取水口を取水位置に復帰さ
せるため下方向に移動することを特徴とする請求項１３記載の河川取水装置
【請求項１５】
先端取水口に取替え可能なスクリーンを具備する取水管とを有し、
前記取水管が前記移動貫通管の内部を上下移動することを特徴とする請求項
１１、請求項１２、請求項１３、或いは請求項１４記載の河川取水装置
【請求項１６】
前記取水管の先端取水口を水面より上部に移動させて前記取水先端口に取り付け
られたスクリーンを清掃又は取替えるとともに、前記先端取水口を取水位置に復帰
させるため前記取水管を下方向に移動することを特徴とする請求項１５記載の河川
取水装置
【請求項２１】
川床の下部に設けられた地下室と、
前記地下室の上部壁に備えられた貫通穴或いは貫通管と、
前記貫通穴或いは前記貫通管の内を上下に移動可能で上部に大きな外形を有す
し下部に小さな外形を有する取水管と、
前記貫通穴或いは前記貫通管の内径と同じ外形を有し、前記取水管下部の小さな
外形と同じ内径を有する固設貫通管とを備え、
前記固設貫通管は、川床に向かって上方向に移動する途中前記地下室の上部壁
に設けられた前記貫通穴或いは前記貫通管に固設され、前記取水管は固設された
後の前記固設貫通管の内部を上下に移動可能なことを特徴とする河川取水装置
【請求項２２】
前記固設貫通管は外形が前記地下室の内形と同じであり、前記地下室の上端部
で固設されることを特徴とする請求項21記載の河川取水装置
【請求項２３】
前記取水管が上部に先端取水口を有するとともに下部に開閉可能な開閉弁部材を
有することを特徴とする請求項２１記載の河川取水装置
【請求項２４】
前記貫通穴或いは前記貫通管の内を上下に移動可能で上部に大きな外形を有す
る着脱可能な掘削部材と前記取水先端口を有し下部に小さな外形を有する取水管
と、
前記貫通穴或いは前記貫通管の内径と同じ外形を有し前記取水管下部の小さな外
形と同じ内径を有する固設貫通管とを有し、
前記取水管が川床に向かって上方向に移動する途中前記固設貫通管を前記地下
室の上部壁に設けられた前記貫通穴或いは前記貫通管に固設した後、前記掘削部
材によりさらに川床に向かって推進移動し前記取水先端口が川面より上方に移動し
たとき前記掘削部材を前記先端取水口から着脱すると共に前記取水管を取水位置
に復帰させるため下方向に移動させることを特徴とする河川取水装置。  
【請求項２５】
前記取水管の前記先端取水口を河川の水面より上部に移動させて前記掘削部材
を前記先端取水口から着脱すると共に前記先端取水口を取水位置に復帰させるた
め前記取水管を下方向に移動することを特徴とする請求項２４記載の河川取水装
置
【請求項２６】
前記先端取水口に取替え可能なスクリーンを具備し、
前記取水管が前記固設貫通管の内部を上下に移動することを特徴とする請求項
２３、請求項２４或いは請求項２５記載の河川取水装置
【請求項２７】
前記取水管の先端取水口を水面より上部に移動させて前記取水先端口に取り付け
られたスクリーンを清掃又は取替えるとともに、前記先端取水口を取水位置に復帰
させるため前記取水管を下方向に移動することを特徴とする請求項２６記載の河川
取水装置
【請求項３１】
川床の下部に設けられた地下室と、
前記地下室の上部壁に備えられた貫通穴或いは貫通管と、
前記貫通穴或いは前記貫通管の内を上下に移動可能な移動貫通管と、
前記貫通穴或いは前記貫通管の内径と同じ外形を有し、前記移動貫通管の
外形と同じ内径を有する固設貫通管と、
前記移動貫通管の内部を上下に移動可能な取水管とを備え、       
前記固設貫通管は、川床に向かって上方向に移動する途中前記地下室の上部壁
に設けられた前記貫通穴或いは前記貫通管に固設され、前記移動貫通管は固設さ
れた前記固設貫通管の内部を上下に移動可能であると共に前記取水管は
前記移動貫通管の内部を上下に移動可能なことを特徴とする河川取水装置
【請求項３２】
前記貫通穴或いは前記貫通管の内を上下に移動可能で上部に
着脱可能な掘削部材と前記掘削部材取り付け口を有す
る移動貫通管と、
前記貫通穴或いは前記貫通管の内径と同じ外形を有し前記移動貫通管下部の
外形と同じ内径を有する固設貫通管と、
前記移動貫通管の内部を上下に移動可能な取水管を有し、
前記移動貫通管が川床に向かって上方向に移動する途中前記固設貫通管を前記
地下室の上部壁に設けられた前記貫通穴或いは前記貫通管に固設した後、前記掘
削部材によりさらに川床に向かって推進移動し前記掘削部材取り付け口が川面より
上方に移動したとき前記掘削部材を前記掘削部材取り付け口から着脱すると共に
前記移動貫通管及び前記取水管を取水位置に復帰させるため下方向に移動させる
ことを特徴とする河川取水装置。 
【請求項３３】
前記固設貫通管は外形が前記地下室の内形と同じであり、前記地下室の上端部
で固設されることを特徴とする請求項３１或いは請求項３２記載の河川取水装置
【請求項３４】
前記取水管が上部に先端取水口を有するとともに下部に開閉可能な開閉弁部材を
有することを特徴とする請求項３３記載の河川取水装置
【請求項３５】
前記移動貫通管の前記先端取り付け部を河川の水面より上部に移動させて前記掘
削部材を着脱すると共に前記移動貫通管及び前記取水管を取水位置に復帰させる
ため下方向に移動することを特徴とする請求項３４記載の河川取水装置
【請求項３６】
前記先端取水口に取替え可能なスクリーンを具備し、
前記取水管が前記固設貫通管の内部を上下に移動することを特徴とする請求項
３３、請求項３４或いは請求項３５記載の河川取水装置
【請求項３７】
前記固設貫通管は外形が前記地下室の外形と同じであり、前記地下室の上端部
で固設されることを特徴とする請求項３1或いは請求項３２記載の河川取水装置
【発明の詳細な説明】
【技術分野】
【０００１】
本発明は河川取水装置に関する。
【背景技術】
【０００２】
従来、河川取水装置では塵芥等の流入で問題点があり、この問題を解決しようとす
る提案が多数されている。
【先行技術文献】
【特許文献】
【０００３】
【特許文献１】なし
【発明の概要】
【発明が解決しようとする課題】
【０００４】
本発明は取水先端口を自然に近くかつ周囲の景観に調和した取水位置に取水時に
配置すると共に前記取水先端口を川面より上部に移動して定期的に浮遊物除去部
を清掃又は取り替え可能な河川取水装置を提供することを目的とする。
【課題を解決するための手段】
【０００５】
請求項１記載の河川取水装置は、川床の下部に設けられた地下室と、前記地下室
の上部壁に備えられ内部が防水されている貫通穴と、前記貫通穴の内部を上下に
」移動可能な取水管とを有する。
【０００６】
請求項１記載の河川取水装置は取水管が川床の下部に設けられた地下室の上部
壁に備えられ内部が防水されている貫通穴の内部を上下に移動可能であるので
取水時に自然に近くかつ周囲の景観に調和した取水位置に取水管を配置すると共
に取水管の先端を川面より上部に移動して定期的に浮遊物除去部を清掃又は取り
替えることができる。
【０００７】
請求項２記載の河川取水装置は、川床の下部に設けられた地下室と、前記地下室
の上部壁に備えられ内部が防水されている貫通管と、前記貫通管の内部を上下に
移動可能な取水管とを有する。
【０００８】
請求項２記載の河川取水装置は取水管が川床の下部に設けられた地下室の上部
壁に備えられ内部が防水されている貫通管の内部を上下に移動可能であるので
取水時に自然に近くかつ周囲の景観に調和した取水位置に取水管を配置すると共
に取水管の先端を川面より上部に移動して定期的に浮遊物除去部を清掃又は取り
替えることができる。
【０００９】
請求項３記載の河川取水装置は、前記取水管が上部に先端取水口を有するととも
に下部に開閉可能な開閉弁部材を有することを特徴とする請求項１記載或いは請
求項２記載の河川取水装置である。
【００１０】
請求項４記載の河川取水装置は、前記貫通穴或いは前記貫通管の内部を上下に
移動する前記取水管の前記先端取水口の上部には掘削部材を配置し前記掘削部
材によって川床の下部を掘削することによって前記取水管を推進移動すると共に掘
削土を前記先端取水口より排出することを特徴とする請求項３記載の河川取水装
置である。
【００１１】
請求項５記載の河川取水装置は、前記前記取水管の前記先端取水口を河川の水
面より上部に移動させて前記掘削部材を前記先端取水口から着脱すると共に前記
先端取水口を取水位置に復帰させるため前記取水管を下方向に移動することを特
徴とする請求項４記載の河川取水装置である。
【００１２】
請求項６記載の河川取水装置は、先端取水口に取替え可能なスクリーンを具備
する取水管とを有し前記取水管が前記貫通穴或いは前記貫通管の内部を上下
に移動することを特徴とする請求項３、請求項４或いは請求項５記載の河川取水
装置である。
【００１３】
請求項７記載の河川取水装置は、前記取水管の先端取水口を水面より上部に移
動させて前記取水先端口に取り付けられたスクリーンを清掃又は取替えるととも
に、前記先端取水口を取水位置に復帰させるため前記取水管を下方向に移動す
ることを特徴とする請求項５記載の河川取水装置である。
【００１４】
請求項１１記載の河川取水装置は、川床の下部に設けられた地下室と、前記地下
室の上部壁に備えられ内部が防水されている貫通穴或いは貫通管と、前記貫通穴
或いは前記貫通管の内部を上下に移動可能な移動貫通管と、前記移動貫通管の
内部を上下に移動可能な取水管とを有する。
【００１５】
請求項１１記載の河川取水装置は川床の下部に設けられた地下室の上部壁に備え
られ内部が防水されている貫通穴或いは貫通管の内部を移動貫通管が上下に移動
可能でありこの移動貫通管の内部を取水管が上下に移動可能であるので取水時に
自然に近くかつ周囲の景観に調和した取水位置に移動貫通管及び取水管を配置す
ると共に取水管の先端を川面より上部に移動して定期的に浮遊物除去部を清掃又
は取り替えることができ、また取水時には自然に近くかつ周囲の景観に調和した取
水位置である川床に近い取水位置或いは川床の下部の取水位置に移動貫通管の
先端を配置すると共に取水管の先端を前記移動貫通管の先端より下部に配置する
ことにより取水管の先端と移動貫通管の先端との間に砂等を堆積させ前記砂
等を濾過した河川水を取水できる。
【００１６】
、請求項１２記載の河川取水装置は、前記取水管が上部に先端取水口を有すると
ともに下部に開閉可能な開閉弁部材を具備することを特徴とする請求項１１記載
の河川取水装置である。
【００１７】
請求項１３記載の河川取水装置は、前記移動貫通管の上部には掘削部材を配置
し前記掘削部材によって川床の下部を掘削することによって前記移動貫通管を
推進移動すると共に掘削土を前記取水管の前記先端取水口より排出することを
特徴とする請求項１２記載の河川取水装置である。
【００１８】
請求項１４記載の河川取水装置は、前記移動貫通管を河川の水面より上部に移
動させて前記掘削部材を前記移動貫通管から着脱すると共に前記移動貫通管及
び前記先端取水口を取水位置に復帰させるため下方向に移動することを特徴と
する請求項１３記載の河川取水装置である。
【００１９】
請求項１５記載の河川取水装置は、先端取水口に取替え可能なスクリーンを具
備する取水管とを有し、前記取水管が前記移動貫通管の内部を上下移動するこ
とを特徴とする請求項１１、請求項１２、請求項１３、或いは請求項１４記載の河川
取水装置である。
【００２０】
請求項１５記載の河川取水装置は、前記取水管の先端取水口を水面より上部に移
動させて前記取水先端口に取り付けられたスクリーンを清掃又は取替えるとともに、
前記先端取水口を取水位置に復帰させるため前記取水管を下方向に移動すること
を特徴とする請求項１５記載の河川取水装置である。
【００２１】
請求項２１記載の河川取水装置は、前記川床の下部に設けられた地下室と、前記
地下室の上部壁に備えられた貫通穴或いは貫通管と、前記貫通穴或いは前記貫
通管の内を上下に移動可能で上部に大きな外形を有すし下部に小さな外形を有す
る取水管と、前記貫通穴或いは前記貫通管の内径と同じ外形を有し、前記取水管
下部の小さな外形と同じ内径を有する固設貫通管とを備え、前記固設貫通管は、川
床に向かって上方向に移動する途中前記地下室の上部壁に設けられた前記貫通
穴或いは前記貫通管に固設され、前記取水管は固設された後の前記固設貫通管
の内部を上下に移動可能なことを特徴とする河川取水装置である。
【００２２】
請求項２１記載の河川取水装置は川床の下部に設けられた地下室の上部壁に備え
られた貫通穴或いは貫通管に固設された固設貫通管の内部を取水管が上下に
可能であるので取水時に自然に近くかつ周囲の景観に調和した取水位置に取水管
を配置すると共に取水管の先端を川面より上部に移動して定期的に浮遊物除去部
を清掃又は取り替えることができる。
【００２３】
請求項２２記載の河川取水装置は、前記固設貫通管は外形が前記地下室の内
形と同じであり、前記地下室の上端部で固設されることを特徴とする請求項21記
載の河川取水装置である。
【００２４】
請求項２３記載の河川取水装置は、前記取水管が上部に先端取水口を有するとと
もに下部に開閉可能な開閉弁部材を有することを特徴とする請求項２１記載の河川
取水装置である。
【００２５】
請求項２４記載の河川取水装置は、前記貫通穴或いは前記貫通管の内を上下に移
動可能で上部に大きな外形を有する着脱可能な掘削部材と前記取水先端口を有し
下部に小さな外形を有する取水管と、前記貫通穴或いは前記貫通管の内径と同じ
外形を有し前記取水管下部の小さな外形と同じ内径を有する固設貫通管とを有し、
前記取水管が川床に向かって上方向に移動する途中前記固設貫通管を前記地下
室の上部壁に設けられた前記貫通穴或いは前記貫通管に固設した後、前記掘削部
材によりさらに川床に向かって推進移動し前記取水先端口が川面より上方に移動し
たとき前記掘削部材を前記先端取水口から着脱すると共に前記取水管を取水位置
に復帰させるため下方向に移動させることを特徴とする河川取水装置である。   
【００２６】
請求項２５記載の河川取水装置は、前記取水管の前記先端取水口を河川の水面よ
り上部に移動させて前記掘削部材を前記先端取水口から着脱すると共に前記先端
取水口を取水位置に復帰させるため前記取水管を下方向に移動することを特徴と
する請求項２４記載の河川取水装置である。
【００２７】
請求項２6記載の河川取水装置は、前記先端取水口に取替え可能なスクリーンを具
備し、前記取水管が前記固設貫通管の内部を上下に移動することを特徴とする請
求項２３、請求項２４或いは請求項２５記載の河川取水装置である。
【００２８】
請求項２７記載の河川取水装置は、前記取水管の先端取水口を水面より上部に移
動させて前記取水先端口に取り付けられたスクリーンを清掃又は取替えるとともに、
前記先端取水口を取水位置に復帰させるため前記取水管を下方向に移動すること
を特徴とする請求項２６記載の河川取水装置である。
【００２９】
請求項３１記載の河川取水装置は、川床の下部に設けられた地下室と、前記地下
室の上部壁に備えられた貫通穴或いは貫通管と、前記貫通穴或いは前記貫通管
の内を上下に移動可能な移動貫通管と、前記貫通穴或いは前記貫通管の内径と同
じ外形を有し、前記移動貫通管の外形と同じ内径を有する固設貫通管と、前記移動
貫通管の内部を上下に移動可能な取水管とを備え、前記固設貫通管は、川床に向
かって上方向に移動する途中前記地下室の上部壁に設けられた前記貫通穴或い
は前記貫通管に固設され、前記移動貫通管は固設された前記固設貫通管の内部
を上下に移動可能であると共に前記取水管は前記移動貫通管の内部を上下に移
動可能なことを特徴とする。
【００３０】
請求項３１記載の河川取水装置は川床の下部に設けられた地下室の上部壁に備え
られた貫通穴或いは貫通管に固設された固設貫通管の内部を移動貫通管が上下
に移動可能でありこの移動貫通管の内部を取水管が上下に移動可能であるので取
配置すると共に取水管の先端を川面より上部に移動して定期的に浮遊物除去部を
清掃又は取り替えることができ、また取水時には自然に近くかつ周囲の景観に調和
した取水位置である川床に近い取水位置或いは川床の下部の取水位置に移動貫
通管の先端を配置すると共に取水管の先端を前記移動貫通管の先端より下部に配
置することにより取水管の先端と移動貫通管の先端との間に砂等を堆積させ前記
砂等を濾過した河川水を取水できる。
【００３１】
請求項３２記載の河川取水装置は、前記貫通穴或いは前記貫通管の内を上下に移
動可能で上部に着脱可能な掘削部材と前記掘削部材取り付け口を有する移動貫通
管と、前記貫通穴或いは前記貫通管の内径と同じ外形を有し前記移動貫通管下部
の外形と同じ内径を有する固設貫通管と、前記移動貫通管の内部を上下に移動可
能な取水管を有し、前記移動貫通管が川床に向かって上方向に移動する途中前記
固設貫通管を前記地下室の上部壁に設けられた前記貫通穴或いは前記貫通管に
固設した後、前記掘削部材によりさらに川床に向かって推進移動し前記掘削部材取
り付け口が川面より上方に移動したとき前記掘削部材を前記掘削部材取り付け口
から着脱すると共に前記移動貫通管及び前記取水管を取水位置に復帰させるため
下方向に移動させることを特徴とする。
【００３２】
請求項３２記載の河川取水装置は川床の下部に設けられた地下室の上部壁に備え
られた貫通穴或いは貫通管に固設された固設貫通管の内部を移動貫通管が上下
に移動可能でありこの移動貫通管の内部を取水管が上下に移動可能であるので取
水時に自然に近くかつ周囲の景観に調和した取水位置に移動貫通管及び取水管を
配置すると共に取水管の先端を川面より上部に移動して定期的に浮遊物除去部を
清掃又は取り替えることができる。
【００３３】
請求項３３記載の河川取水装置は、前記固設貫通管は外形が前記地下室の内
形と同じであり、前記地下室の上端部で固設されることを特徴とする請求項３１或
いは請求項３２記載の河川取水装置である。
【００３４】
請求項３４記載の河川取水装置は、前記取水管が上部に先端取水口を有するとと
もに下部に開閉可能な開閉弁部材を有することを特徴とする請求項３３記載の河川
取水装置である。
【００３５】
請求項３５記載の河川取水装置は、前記移動貫通管の前記先端取り付け部を河
川の水面より上部に移動させて前記掘削部材を着脱すると共に前記移動貫通管
及び前記取水管を取水位置に復帰させるため下方向に移動することを特徴とす
る請求項３４記載の河川取水装置である。
【００３６】
請求項３６記載の河川取水装置は、前記先端取水口に取替え可能なスクリーンを
具備し、前記取水管が前記固設貫通管の内部を上下に移動することを特徴とする
請求項３３、請求項３４或いは請求項３５記載の河川取水装置である。
【００３７】
請求項３６記載の河川取水装置は、前記固設貫通管は外形が前記地下室の外
形と同じであり、前記地下室の上端部で固設されることを特徴とする請求項３1或
いは請求項３２記載の河川取水装置である。
【発明を実施するための最良の形態】
【００３８】
本発明による河川取水装置の第一の実施の形態は、川床の下部に地下室を掘削
し、前記地下室の上部壁に内部が防水されている貫通穴或いは貫通管を設け、前
記貫通穴或いは前記貫通管の内部を上端部に着脱可能な掘削部材を備え、上部
の先端取水口から掘削土を排出すると共に下部に開閉可能な開閉弁部材は具備
する取水管が前記掘削部材によって掘削することによって川床に向かって上方向に
移動する。
【００３９】
前記掘削部材が川面より上方に移動したとき前記掘削部材を着脱し、前記先端取
水口を取水位置に復帰させるため前記取水管を下方向に移動させる。
【００４０】
前記取水管は前記貫通穴或いは前記貫通管の内部を上下方向に移動可能であ
るので取水時には自然に近くかつ周囲の景観に調和した取水位置である川床に近
い取水位置或いは川床の下部の取水位置で前記取水管の前記先端取水口を配置
すると共に前記取水管の前記先端取水口を河川の水面より上部に移動させて定期
的に前記先端取水口に取り付けられたスクリーンを清掃又は新たにスクリーンを取
り付けた後、前記取水管を取水位置に復帰させることができる。
【００４１】
前記取水管の形状は円形、楕円形、矩形、正方形等任意の形状が本発明の要旨
の範囲である。  
本発明による河川取水装置の第二の実施の形態は、川床の下部に地下室を掘削
し、前記地下室の上部壁に内部が防水されている貫通穴或いは貫通管を設け、前
記貫通穴或いは前記貫通管の内部を川床に向かって上方向に移動する上端部に
着脱可能な掘削部材を具備する移動貫通管と、前記移動貫通管の内部を上下に移
動し上部の先端取水口より掘削土を排出するとともに下部に開閉可能な開閉弁部
材は具備する取水管が前記掘削部材によって掘削することによって川床に向かって
上方向に移動する。 
【００４２】
前記掘削部材が川面より上方に移動したとき前記掘削部材を着脱し、前記移動貫
通管及び前記取水管を取水位置に復帰させるため下方向に移動させる。
【００４３】
取水時には自然に近くかつ周囲の景観に調和した取水位置である川床に近い取水
位置或いは川床の下部の取水位置に前記移動貫通管を配置すると共に前記取水
管の先端取水口を前記移動貫通管の先端部より下部に配置することにより前記先
端取水口と前記移動貫通管の先端部との間に砂等を堆積させ前記砂等を濾過した
河川水を取水可能である。
【００４４】
また前記取水管は前記移動貫通管の内部を上下方向に移動可能であるので定
期的に前記先端取水口に取り付けられたスクリーンを清掃又は新たにスクリーンを
取り付けた後前記取水管を取水位置に復帰させることができる。
【００４５】
本発明による河川取水装置の第三の実施の形態は、川床の下部に地下室を掘削
し、前記地下室の上部壁に貫通穴或いは貫通管を設け、前記貫通穴或いは前記貫
通管の内部を上端部に着脱可能で大きな外形を有する掘削部材と同じ外形の上部
先端取水口を具備すると共に下部に開閉可能な開閉弁部材を具備し小さな外形
を有する取水管が前記掘削部材によって掘削することによって川床に向かって上方
向に推進移動すると共に前記先端取水口より掘削土を排出する。
【００４６】
また上部の先端取水口の下側に前記貫通穴或いは前記貫通管と同じ外形で前記
取水管下部の小さな外形を摺動する固設貫通管を備え、前記固設貫通管は前記取
水管が川床に向かって上方向に移動する途中前記地下室の上部壁に設けられた
前記貫通穴或いは前記貫通管に固設した後前記掘削部材によりさらに川床に向か
って掘削し前記掘削部材が川面より上方に移動したとき前記掘削部材を着脱し、前
記取水管を取水位置に復帰させるため下方向に移動させる。
【００４７】
前記取水管は前記固設貫通管の内部を上下方向に移動可能であるので、
取水時には自然に近くかつ周囲の景観に調和した取水位置である川床に近い取水
位置或いは川床の下部の取水位置で前記取水管を配置すると共に前記取水管の
前記先端取水口を河川の水面より上部に移動させて定期的に先端取水口に取り付
けられたスクリーンを清掃又は新たにスクリーンを取り付けた後、前記取水管を取
水位置に復帰させることができる。
【００４８】
本発明による河川取水装置の第三の実施の形態は、前記固設貫通管の外形が
前記地下室の内形と同じであり、前記固設貫通管が前記地下室の上端部で固設
される第三の実施の形態も可能である。
【００４９】
本発明による河川取水装置の第四の実施の形態は、川床の下部に地下室を掘削
し、前記地下室の上部壁に貫通穴或いは貫通管を設け、前記貫通穴或いは前記貫
通管の内部を大きな外形を有する移動貫通管が配置され、前記移動貫通管の上端
部で着脱可能な同じ外形を有する掘削部材を具備する。
【００５０】
前記移動貫通管の内径と同じ小さな外形を有する取水管が上部に先端取水口と下
部に開閉可能な開閉弁部材とを備えて前記移動貫通管内を摺動可能に配置され、
前記掘削部材が掘削することによって前記移動貫通管及び前記取水管が川床に向
かって上方向に移動する。
【００５１】
また前記地下室の上部壁に設けられた前記貫通穴或いは前記貫通管の内部と
同じ外形で前記移動貫通管を摺動する固設貫通管を備え、前記移動貫通管及び前
記取水管が川床に向かって上方向に移動する途中前記固設貫通管は地下室の上
部壁に設けられた前記貫通穴或いは前記貫通管に固設された後前記掘削部材が
川床に向かって掘削し前記掘削部材が川面より上方に移動したとき前記掘削部材
を前記移動貫通管から着脱し、取水位置に復帰させるため前記移動貫通管及び前
記取水管を下方向に移動させる。
【００５２】
取水時には自然に近くかつ周囲の景観に調和した取水位置である川床に近い取水
位置或いは川床の下部の取水位置に前記移動貫通管を配置すると共に前記取水
管の先端取水口を前記移動貫通管の先端部より下部に配置することにより前記先
端取水口と前記移動貫通管の先端部との間に砂等を堆積させ前記砂等を濾過した
河川水を取水可能である。
【００５３】
また前記取水管は前記移動貫通管の内部を上下方向に移動可能であるので定
期的に先端取水口に取り付けられたスクリーンを清掃又は新たにスクリーンを取り
付けるため前記先端取水口を河川の水面より上部に移動させた後、前記取水管を
取水位置に復帰させることができる。
【００５４】
本発明による河川取水装置の第四の実施の形態は、前記固設貫通管の外形が
前記地下室の内形と同じであり、前記固設貫通管が前記地下室の上端部で固設
される第四の実施の形態も可能である。
【００５５】
（実施例１）
本発明による河川取水装置の望ましい第一の実施例は、第一の実施の形態の実
施例であり、まず川床の下部に比較的上下方向に広い地下室を掘削し、前記地下
室の上部壁に内部が防水されている円形貫通穴或いは円形貫通管を設ける。
【００５６】
上端部に着脱可能な円形掘削部材を具備すると共に上部に前記円形掘削部
材によって掘削された掘削土を排出する取水先端部と下部に開閉可能な開閉弁
部材は具備する円形取水管が前記円形貫通穴或いは前記円形貫通管を貫通し、
前記円形掘削部材によって掘削することによって川床に向かって上方向に移動す
る。
【００５７】
前記円形掘削部材は先端部にカッターと周辺部に水噴射掘削部を有するので先
端部と共に周辺も掘削出来、前記円形取水管は川床に向かって上方向に容易に
移動可能となる。
【００５８】
前記円形掘削部材が川面より上方に移動したとき前記円形掘削部材を着脱し、
前記円形取水部材を取水位置に復帰させるため前記円形取水管を下方向に移
動させる。
【００５９】
前記円形取水管は前記円形貫通穴或いは前記円形貫通管の内部を上下方向
に移動可能であるので取水時には自然に近くかつ周囲の景観に調和した取水位
置である川床に近い取水位置或いは川床の下部の取水位置で前記円形取水管を
配置すると共に前記円形取水管の前記先端取水口を河川の水面より上部に移動
させて定期的に先端取水口に取り付けられたスクリーンを清掃又は新たにスクリ
ーンを取り付けた後、前記円形取水管を取水位置に復帰させることができる。
【００６０】
（実施例２）
本発明による河川取水装置の望ましい第二の実施例は、第二の実施の形態の実
施例であり、まず川床の下部に比較的上下方向に広い地下室を掘削し、前記地下
室の上部壁に内部が防水されている矩形貫通穴或いは矩形貫通管を設ける。
【００６１】
上端部に着脱可能な矩形掘削部材を具備する矩形移動貫通管が前記矩形貫通
穴或いは前記矩形貫通管の内部を川床に向かって上方向に移動する。
【００６２】
上部の先端取水口より掘削土を排出するとともに下部に開閉可能な開閉弁部材は
具備する前記矩形取水管が前記矩形移動貫通管の内部を上下に移動可能で、前
記矩形掘削部材によって掘削することによって前記矩形移動貫通管及び前記矩形
取水管が川床に向かって上方向に移動する。
【００６３】
前記矩形掘削部材が川面より上方に移動したとき前記矩形移動貫通管から前記矩
形掘削部材を着脱し、前記矩形移動貫通管及び前記矩形取水管を取水位置に復
帰させるため下方向に移動させる。
【００６４】
取水時には自然に近くかつ周囲の景観に調和した取水位置である川床に近い取水
位置或いは川床の下部の取水位置に前記矩形移動貫通管を配置すると共に前記
矩形取水管の先端取水口を前記矩形移動貫通管の先端部より下部に配置すること
により前記先端取水口と前記矩形移動貫通管の先端部との間に砂等を堆積させ前
記砂等を濾過した河川水を取水可能である。
【００６５】
また前記矩形取水管は前記矩形移動貫通管の内部を上下方向に移動可能であ
るので定期的に先端取水口に取り付けられたスクリーンを清掃又は新たにスクリー
ンを取り付けるため前記先端取水口を河川の水面より上部に移動させた後、前記
矩形取水管を取水位置に復帰させることができる。
【００６６】
（実施例３）
本発明による河川取水装置の望ましい第三の実施例は、第三の実施の形態の実
施例であり、まず川床の下部に比較的上下方向に広い地下室を掘削し、前記地下
室の上部壁に正方形貫通穴或いは正方形貫通管を設ける。
【００６７】
上端部に着脱可能な正方形掘削部材を具備する正方形移動貫通管が前記正方
形貫通穴或いは前記正方形貫通管の内部を川床に向かって上方向に移動する。
【００６８】
前記正方形貫通穴或いは前記正方形貫通管の内部を前記正方形掘削部材と同じ
外形の上部先端取水口を具備すると共に下部に開閉可能な開閉弁部材を具備し小
さな外形を有する取水管が前記掘削部材によって掘削することによって川床上部先
端取水口を備えたを取水管が前記正方形掘削部材によって掘削することによって
川床に向かって上方向に推進移動する。また前記上部取水先端部材の下側に前記
地下室の上部壁の前記正方形貫通穴或いは前記正方形貫通管と同じ外形で前
記正方形取水管の下部のする小さな正方形外形を摺動する正方形固設貫通管を
備え、前記正方形固設貫通管は前記正方形取水管が川床に向かって上方向に移
動する途中前記地下室の上部壁に設けられた前記正方形貫通穴或いは前記正
方形貫通管に固設された後前記正方形掘削部材により川床に向かって掘削する
と共に掘削された掘削土は前記先端取水口より排出され、前記正方形掘削部材
が川面より上方に移動したとき前記正方形掘削部材を前記正方形取水管から着
脱し、前記上部取水先端部材を取水位置に復帰させるため前記正方形取水管を
下方向に移動させる。
【００６９】
前記正方形取水管は前記正方形固設貫通管の内部を上下方向に移動可能であ
るので取水時には自然に近くかつ周囲の景観に調和した取水位置である川床に近
い取水位置或いは川床の下部の取水位置で前記取水管を配置すると共に前記正
方形取水管の前記先端取水口を河川の水面より上部に移動させて定期的に先端
取水口に取り付けられたスクリーンを清掃又は新たにスクリーンを取り付けた後、前
記取水管を取水位置に復帰させることができる。
【００７０】
（実施例４）
本発明による河川取水装置の望ましい第四の実施例は、第四の実施の形態の実
施例であり、まず川床の下部に比較的上下方向に広い地下室を掘削し、前記地下
室の上部壁に内部が防水されている楕円形貫通穴或いは楕円形貫通管を設け
る。
【００７１】
上端部に着脱可能な楕円形掘削部材を具備する大きな外形を有する楕円形移動
貫通管が前記楕円形貫通穴或いは前記楕円形貫通管の内部を川床に向かって上
方向に移動する。
【００７２】
上部の先端取水口より掘削土を排出するとともに下部に開閉可能な開閉弁部材を
具備し、前記楕円形移動貫通管の内径と同じ小さな外形を有する楕円形取水管が
前記楕円形移動貫通管の内部を上下に移動可能で、前記楕円形掘削部材によって
掘削することによって前記楕円形移動貫通管及び前記楕円形取水管が川床に向か
って上方向に移動する。
【００７３】
また前記地下室の上部壁に設けられた前記楕円形貫通穴或いは前記楕円形貫
通管の内部と同じ外形で前記楕円形移動貫通管の下部の小さな外形を内部で摺動
させる楕円形固設貫通管を備え、前記楕円形移動貫通管及び前記楕円形取水管
が川床に向かって上方向に移動する途中前記楕円形固設貫通管は地下室の上部
壁に設けられた前記楕円形貫通穴或いは前記楕円形貫通管に固設された後、前記
楕円形掘削部材が川床に向かって掘削し、前記楕円形移動貫通管の内径と同じ小
さな外形を有する前記楕円形取水管が上部に先端取水口と下部に開閉可能な開
閉弁部材とを備えて前記楕円形移動貫通管内を摺動可能に配置されているので、
前記楕円形掘削部材が掘削することによって前記楕円形移動貫通管及び前記楕円
形取水管が川床に向かって上方向に移動する。
【００７４】
前記楕円形掘削部材が川面より上方に移動したとき前記楕円形掘削部材を前記楕
円形移動貫通管から着脱し、前記楕円形移動貫通管及び前記楕円形取水管を取
水位置に復帰させるため下方向に移動させる。
【００７５】
取水時には自然に近くかつ周囲の景観に調和した取水位置である川床に近い取水
位置或いは川床の下部の取水位置に前記楕円形移動貫通管を配置すると共に前
記楕円形取水管の先端取水口を前記楕円形移動貫通管の先端部より下部に配置
することにより前記先端取水口と前記楕円形移動貫通管の先端部との間に砂等を
堆積させ前記砂等を濾過した河川水を取水可能である。
【００７６】
また前記楕円形取水管は前記楕円形移動貫通管の内部を上下方向に移動可能
であるので定期的に先端取水口に取り付けられたスクリーンを清掃又は新たにスク
リーンを取り付けるため前記先端取水口を河川の水面より上部に移動させた後、前
記楕円形取水管を取水位置に復帰させることができる。
【００７７】
（実施例５）
本発明による河川取水装置の望ましい第五の実施例は、前述の第四の実施例の
固設貫通管の外形が前記地下室の内形と同じで、前記固設貫通管が前記地下室
の上端部で固設される第四の実施の形態の実施例である。
【００７８】
上端部に着脱可能な前記地下室の内形と同じ外形の矩形掘削部材を具備すると
共に上部に前記地下室の内形と同じ外形を有し下部に小さな外形を有する
矩形移動貫通管が前記地下室の内部を川床に向かって上方向に移動する。
【００７９】
上部の先端取水口より掘削土を排出するとともに下部に開閉可能な開閉弁部材を
具備し、前記矩形移動貫通管の内径と同じ外形を有する矩形取水管が前記矩形移
動貫通管の内部を上下に移動可能で、前記矩形掘削部材によって掘削することに
よって前記矩形移動貫通管及び前記矩形取水管が川床に向かって上方向に移動
する。
また前記地下室の内径と同じ外形で前記矩形移動貫通管の下部の小さな外形を
内部で摺動させる矩形固設貫通管を備え、前記矩形移動貫通管及び前記矩形取
水管が川床に向かって上方向に移動する途中前記矩形固設貫通管は地下室の上
端部に固設された後、前記矩形掘削部材が川床に向かって掘削し、前記矩形移動
貫通管の内径と同じ外形を有する前記矩形取水管が上部に先端取水口と下部に
開閉可能な開閉弁部材とを備えて前記矩形移動貫通管内を摺動可能に配置され
ているので、前記矩形掘削部材が掘削することによって前記矩形移動貫通管及び
前記矩形取水管が川床に向かって上方向に移動する。
【００８０】
前記矩形掘削部材が川面より上方に移動したとき前記矩形掘削部材を前記矩形
移動貫通管から着脱し、前記矩形移動貫通管及び前記矩形取水管を取水位置
に復帰させるため下方向に移動させる。
【００８１】
取水時には自然に近くかつ周囲の景観に調和した取水位置である川床に近い取水
位置或いは川床の下部の取水位置に前記矩形移動貫通管を配置すると共に前記
矩形取水管の先端取水口を前記矩形移動貫通管の先端部より下部に配置すること
により前記先端取水口と前記矩形移動貫通管の先端部との間に砂等を堆積させ前
記砂等を濾過した河川水を取水可能である。
【００８２】
また前記矩形取水管は前記矩形移動貫通管の内部を上下方向に移動可能である
ので定期的に先端取水口に取り付けられたスクリーンを清掃又は新たにスクリーン
を取り付けるため前記先端取水口を河川の水面より上部に移動させた後、前記矩
形取水管を取水位置に復帰させることができる。
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
川床の下部に設けられた地下室と、
前記地下室の上部壁に備えられ内部が防水されている貫通穴と、
前記貫通穴の内部を上下に移動可能な取水管とを有する河川取水装置
【請求項２】
川床の下部に設けられた地下室と、
前記地下室の上部壁に備えられ内部が防水されている貫通管と、   
前記貫通管の内部を上下に移動可能な取水管とを有する河川取水装置      
【請求項３】
前記取水管が上部に先端取水口を有するとともに下部に開閉可能な開閉弁部材を
有することを特徴とする請求項１記載或いは請求項２記載の河川取水装置
【請求項４】
前記貫通穴或いは前記貫通管の内部を上下に移動する前記取水管の前記先端取
水口の上部には掘削部材を配置し前記掘削部材によって川床の下部を掘削するこ
とによって前記取水管を推進移動すると共に掘削土を前記先端取水口より排出す
ることを特徴とする請求項３記載の河川取水装置
【請求項５】
前記取水管の前記先端取水口を河川の水面より上部に移動させて前記掘削部材
を前記先端取水口から着脱すると共に前記先端取水口を取水位置に復帰させるた
め前記取水管を下方向に移動することを特徴とする請求項４記載の河川取水装置
【請求項６】
先端取水口に取替え可能なスクリーンを具備する取水管とを有し
前記取水管が前記貫通穴或いは前記貫通管の内部を上下に移動することを特徴と
する請求項３、請求項４或いは請求項５記載の河川取水装置
【請求項７】
前記取水管の先端取水口を水面より上部に移動させて前記取水先端口に取り付け
られたスクリーンを清掃又は取替えるとともに、前記先端取水口を取水位置に復帰
させるため前記取水管を下方向に移動することを特徴とする請求項６記載の河川
取水装置
【請求項８】
川床の下部に設けられた地下室と、
前記地下室の上部壁に備えられ内部が防水されている貫通穴或いは貫通管と、
前記貫通穴或いは前記貫通管の内部を上下に移動可能な移動貫通管と、
前記移動貫通管の内部を上下に移動可能な取水管とを有する河川取水装置
【請求項９】
前記取水管が上部に先端取水口を有するとともに下部に開閉可能な開閉弁部材を
具備することを特徴とする請求項８記載の河川取水装置
【請求項１０】
前記移動貫通管の上部には掘削部材を配置し前記掘削部材によって川床の下部
を掘削することによって前記移動貫通管を推進移動すると共に掘削土を前記取水
管の前記先端取水口より排出することを特徴とする請求項９記載の河川取水装置
【請求項１１】
前記移動貫通管を河川の水面より上部に移動させて前記掘削部材を前記移動貫
通管から着脱すると共に前記移動貫通管及び前記先端取水口を取水位置に復帰さ
せるため下方向に移動することを特徴とする請求項１０記載の河川取水装置
【請求項１２】
先端取水口に取替え可能なスクリーンを具備する取水管とを有し、
前記取水管が前記移動貫通管の内部を上下移動することを特徴とする請求項
８、請求項９、請求項１０、或いは請求項１１記載の河川取水装置
【請求項１３】
前記取水管の先端取水口を水面より上部に移動させて前記取水先端口に取り付け
られたスクリーンを清掃又は取替えるとともに、前記先端取水口を取水位置に復帰
させるため前記取水管を下方向に移動することを特徴とする請求項１２記載の河川
取水装置
【請求項１４】
川床の下部に設けられた地下室と、
前記地下室の上部壁に備えられた貫通穴或いは貫通管と、
前記貫通穴或いは前記貫通管の内を上下に移動可能で上部に大きな外形を有す
し下部に小さな外形を有する取水管と、
前記貫通穴或いは前記貫通管の内径と同じ外形を有し、前記取水管下部の小さな
外形と同じ内径を有する固設貫通管とを備え、
前記固設貫通管は、川床に向かって上方向に移動する途中前記地下室の上部壁
に設けられた前記貫通穴或いは前記貫通管に固設され、前記取水管は固設された
後の前記固設貫通管の内部を上下に移動可能なことを特徴とする河川取水装置
【請求項１５】
前記固設貫通管は外形が前記地下室の内形と同じであり、前記地下室の上端部
で固設されることを特徴とする請求項１４記載の河川取水装置
【請求項１６】
前記取水管が上部に先端取水口を有するとともに下部に開閉可能な開閉弁部材を
有することを特徴とする請求項１４記載の河川取水装置
【請求項１７】
前記貫通穴或いは前記貫通管の内を上下に移動可能で上部に大きな外形を有す
る着脱可能な掘削部材と前記取水先端口を有し下部に小さな外形を有する取水管
と、
前記貫通穴或いは前記貫通管の内径と同じ外形を有し前記取水管下部の小さな外
形と同じ内径を有する固設貫通管とを有し、
前記取水管が川床に向かって上方向に移動する途中前記固設貫通管を前記地下
室の上部壁に設けられた前記貫通穴或いは前記貫通管に固設した後、前記掘削部
材によりさらに川床に向かって推進移動し前記取水先端口が川面より上方に移動し
たとき前記掘削部材を前記先端取水口から着脱すると共に前記取水管を取水位置
に復帰させるため下方向に移動させることを特徴とする河川取水装置。  
【請求項１８】
前記取水管の前記先端取水口を河川の水面より上部に移動させて前記掘削部材
を前記先端取水口から着脱すると共に前記先端取水口を取水位置に復帰させるた
め前記取水管を下方向に移動することを特徴とする請求項１７記載の河川取水装
置
【請求項１９】
前記先端取水口に取替え可能なスクリーンを具備し、
前記取水管が前記固設貫通管の内部を上下に移動することを特徴とする請求項
１６、請求項１７或いは請求項１８記載の河川取水装置
【請求項２０】
前記取水管の先端取水口を水面より上部に移動させて前記取水先端口に取り付け
られたスクリーンを清掃又は取替えるとともに、前記先端取水口を取水位置に復帰
させるため前記取水管を下方向に移動することを特徴とする請求項１９記載の河川
取水装置
【請求項２１】
川床の下部に設けられた地下室と、
前記地下室の上部壁に備えられた貫通穴或いは貫通管と、
前記貫通穴或いは前記貫通管の内を上下に移動可能な移動貫通管と、
前記貫通穴或いは前記貫通管の内径と同じ外形を有し、前記移動貫通管の
外形と同じ内径を有する固設貫通管と、
前記移動貫通管の内部を上下に移動可能な取水管とを備え、
前記固設貫通管は、川床に向かって上方向に移動する途中前記地下室の上部壁
に設けられた前記貫通穴或いは前記貫通管に固設され、前記移動貫通管は固設さ
れた前記固設貫通管の内部を上下に移動可能であると共に前記取水管は
前記移動貫通管の内部を上下に移動可能なことを特徴とする河川取水装置
【請求項２２】
前記貫通穴或いは前記貫通管の内を上下に移動可能で上部に
着脱可能な掘削部材と前記掘削部材取り付け部を有する移動貫通管と、
前記貫通穴或いは前記貫通管の内径と同じ外形を有し前記移動貫通管下部の
外形と同じ内径を有する固設貫通管と、
前記移動貫通管の内部を上下に移動可能な取水管を有し、
前記移動貫通管が川床に向かって上方向に移動する途中前記固設貫通管を前記
地下室の上部壁に設けられた前記貫通穴或いは前記貫通管に固設した後、前記掘
削部材によりさらに川床に向かって推進移動し前記掘削部材取り付け部が川面より
上方に移動したとき前記掘削部材を前記掘削部材取り付け部から着脱すると共に
前記移動貫通管及び前記取水管を取水位置に復帰させるため下方向に移動させる
ことを特徴とする河川取水装置。 
【請求項２３】
前記固設貫通管は外形が前記地下室の内形と同じであり、前記地下室の上端部
で固設されることを特徴とする請求項２１或いは請求項２２記載の河川取水装置
【請求項２４】
前記取水管が上部に先端取水口を有するとともに下部に開閉可能な開閉弁部材を
有することを特徴とする請求項２３記載の河川取水装置
【請求項２５】
前記移動貫通管の前記先端取り付け部を河川の水面より上部に移動させて前記掘
削部材を着脱すると共に前記移動貫通管及び前記取水管を取水位置に復帰させる
ため下方向に移動することを特徴とする請求項２４記載の河川取水装置
【請求項２６】
前記先端取水口に取替え可能なスクリーンを具備し、
前記取水管が前記固設貫通管の内部を上下に移動することを特徴とする請求項
２３、請求項２４或いは請求項２５記載の河川取水装置
【請求項２７】
前記固設貫通管は外形が前記地下室の外形と同じであり、前記地下室の上端部
で固設されることを特徴とする請求項２1或いは請求項２２記載の河川取水装置
【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
川床の下部に設けられた地下室と、
前記地下室の上部壁に備えられ内部が防水されている貫通穴と、
前記貫通穴の内部を上下に移動可能な取水管とを有する河川取水装置
【請求項２】
川床の下部に設けられた地下室と、
前記地下室の上部壁に備えられ内部が防水されている貫通管と、         
前記貫通管の内部を上下に移動可能な取水管とを有する河川取水装置               
【請求項３】
前記取水管が上部に先端取水口を有するとともに下部に開閉可能な開閉弁部材を
有することを特徴とする請求項１記載或いは請求項２記載の河川取水装置
【請求項４】
前記貫通穴或いは前記貫通管の内部を上下に移動する前記取水管の前記先端取
水口の上部には掘削部材を配置し前記掘削部材によって川床の下部を掘削するこ
とによって前記取水管を推進移動すると共に掘削土を前記先端取水口より排出す
ることを特徴とする請求項３記載の河川取水装置
【請求項５】
前記取水管の前記先端取水口を河川の水面より上部に移動させて前記掘削部材
を前記先端取水口から着脱すると共に前記先端取水口を取水位置に復帰させるた
め前記取水管を下方向に移動することを特徴とする請求項４記載の河川取水装置
【請求項６】
先端取水口に取替え可能なスクリーンを具備する取水管を有し
前記取水管が前記貫通穴或いは前記貫通管の内部を上下に移動することを特徴と
する請求項３、請求項４或いは請求項５記載の河川取水装置
【請求項７】
前記取水管の先端取水口を水面より上部に移動させて前記取水先端口に取り付け
られたスクリーンを清掃又は取替えるとともに、前記先端取水口を取水位置に復帰
させるため前記取水管を下方向に移動することを特徴とする請求項３、請求項４或
いは請求項５記載の河川取水装置
【請求項８】
川床の下部に設けられた地下室と、
前記地下室の上部壁に備えられ内部が防水されている貫通穴或いは貫通管と、
前記貫通穴或いは前記貫通管の内部を上下に移動可能な移動貫通管と、
前記移動貫通管の内部を上下に移動可能な取水管とを有する河川取水装置
【請求項９】
前記取水管が上部に先端取水口を有するとともに下部に開閉可能な開閉弁部材を
具備することを特徴とする請求項８記載の河川取水装置
【請求項１０】
前記移動貫通管の上部には掘削部材を配置し前記掘削部材によって川床の下部
を掘削することによって前記移動貫通管を推進移動すると共に掘削土を前記取水
管の前記先端取水口より排出することを特徴とする請求項９記載の河川取水装置
【請求項１１】
前記移動貫通管を河川の水面より上部に移動させて前記掘削部材を前記移動貫
通管から着脱すると共に前記移動貫通管及び前記先端取水口を取水位置に復帰さ
せるため下方向に移動することを特徴とする請求項１０記載の河川取水装置
【請求項１２】
先端取水口に取替え可能なスクリーンを具備する取水管を有し、
前記取水管が前記移動貫通管の内部を上下移動することを特徴とする請求項
８、請求項９、請求項１０、或いは請求項１１記載の河川取水装置
【請求項１３】
前記取水管の先端取水口を水面より上部に移動させて前記取水先端口に取り付け
られたスクリーンを清掃又は取替えるとともに、前記先端取水口を取水位置に復帰
させるため前記取水管を下方向に移動することを特徴とする請求項８、請求項９、請
求項１０、或いは請求項１１記載の河川取水装置
【請求項１４】
川床の下部に設けられた地下室と、
前記地下室の上部壁に備えられた貫通穴或いは貫通管と、
前記貫通穴或いは前記貫通管の内を上下に移動可能で上部に大きな外形を有す
し下部に小さな外形を有する取水管と、
前記貫通穴或いは前記貫通管の内径と同じ外形を有し、前記取水管下部の小さな
外形と同じ内径を有する固設貫通管とを備え、
前記固設貫通管は、川床に向かって上方向に移動する途中前記地下室の上部壁
に設けられた前記貫通穴或いは前記貫通管に固設され、前記取水管は固設された
後の前記固設貫通管の内部を上下に移動可能なことを特徴とする河川取水装置
【請求項１５】
前記固設貫通管は外形が前記地下室の内形と同じであり、前記地下室の上端部
で固設されることを特徴とする請求項１４記載の河川取水装置
【請求項１６】
前記取水管が上部に先端取水口を有するとともに下部に開閉可能な開閉弁部材を
有することを特徴とする請求項１４記載の河川取水装置
【請求項１７】
川床の下部に掘削された地下室と、
前記地下室の上部壁に設けられた貫通穴或いは貫通管と、
前記貫通穴或いは前記貫通管の内を上下に移動可能で上部に大きな外形を有す
る着脱可能な掘削部材と取水管先端とを上部に具備し下部に小さな外形を有する
取水管と、
前記貫通穴或いは前記貫通管の内径と同じ外形を有し前記取水管下部の小さな
外形と同じ内径を有する固設貫通管とを有し、前記取水管が川床に向かって上方
向に移動する途中、前記固設貫通管を前記地下室の上部壁に設けられた前記貫
通穴或いは前記貫通管に固設した後、前記掘削部材によりさらに川床に向かって
推進移動し前記取水先端口が川面より上方に移動したとき前記掘削部材を前記
取水先端口から着脱すると共に前記取水管を取水位置に復帰させるため下方向
に移動させることを特徴とする河川取水装置
【請求項１８】
前記取水管の前記先端取水口を河川の水面より上部に移動させて前記掘削部材
を前記先端取水口から着脱すると共に前記先端取水口を取水位置に復帰させるた
め前記取水管を下方向に移動することを特徴とする請求項１７記載の河川取水装
置
【請求項１９】
前記先端取水口に取替え可能なスクリーンを具備し、前記取水管が前記固設貫通
管の内部を上下に移動することを特徴とする請求項１６、請求項１７或いは請求項１
８記載の河川取水装置
【請求項２０】
前記取水管の取水先端口を水面より上部に移動させて前記取水先端口に取り付け
られたスクリーンを清掃又は取替えると共に、前記取水先端口を取水位置に復帰さ
せるため前記取水管を下方向に移動することを特徴とする請求項１６、請求項１７或
いは請求項１８記載の河川取水装置
【請求項２１】
川床の下部に設けられた地下室と、
前記地下室の上部壁に備えられた貫通穴或いは貫通管と、
前記貫通穴或いは前記貫通管の内を上下に移動可能な移動貫通管と、
前記貫通穴或いは前記貫通管の内径と同じ外形を有し、前記移動貫通管の
外形と同じ内径を有する固設貫通管と、
前記移動貫通管の内部を上下に移動可能な取水管とを備え、     
前記固設貫通管は、川床に向かって上方向に移動する途中前記地下室の上部壁
に設けられた前記貫通穴或いは前記貫通管に固設され、前記移動貫通管は固設さ
れた前記固設貫通管の内部を上下に移動可能であると共に前記取水管は前記移
動貫通管の内部を上下に移動可能なことを特徴とする河川取水装置
【請求項２２】
川床の下部に設けられた地下室と、
前記地下室の上部壁に備えられた貫通穴或いは貫通管と、
前記貫通穴或いは前記貫通管の内を上下に移動可能で上部に着脱可能な掘削部
材と前記掘削部材取り付け部を有し上部に大きな外形と下部の小さな外形を有する
移動貫通管と、
前記貫通穴或いは前記貫通管の内径と同じ外形を有し前記移動貫通管下部の
小さな外形と同じ内径を有する固設貫通管と、
前記移動貫通管の内部を上下に移動可能な取水管を有し、前記移動貫通管が川
床に向かって上方向に移動する途中前記固設貫通管を前記地下室の上部壁に設
けられた前記貫通穴或いは前記貫通管に固設した後、前記掘削部材によりさらに
川床に向かって推進移動し前記掘削部材取り付け部が川面より上方に移動したと
き前記掘削部材を前記掘削部材取り付け部から着脱すると共に前記移動貫通管及
び前記取水管を取水位置に復帰させるため下方向に移動させることを特徴とする河
川取水装置。  
【請求項２３】
前記固設貫通管は外形が前記地下室の内形と同じであり、前記地下室の上端部
で固設されることを特徴とする請求項２１或いは請求項２２記載の河川取水装置
【請求項２４】
前記取水管が上部に先端取水口を有するとともに下部に開閉可能な開閉弁部材を
有することを特徴とする請求項２３記載の河川取水装置
【請求項２５】
前記移動貫通管の前記先端取り付け部を河川の水面より上部に移動させて前記掘
削部材を着脱すると共に前記移動貫通管及び前記取水管を取水位置に復帰させる
ため下方向に移動することを特徴とする請求項２４記載の河川取水装置
【請求項２６】
前記先端取水口に取替え可能なスクリーンを具備し、
前記取水管が前記固設貫通管の内部を上下に移動することを特徴とする請求項
２３、請求項２４或いは請求項２５記載の河川取水装置
【請求項２７】
前記固設貫通管は外形が前記地下室の外形と同じであり、前記地下室の上端部
で固設されることを特徴とする請求項２1或いは請求項２２記載の河川取水装置
【手続補正２】
【補正対象書類名】明細書
【補正対象項目名】全文
【補正方法】変更
【補正の内容】
【発明の詳細な説明】
【技術分野】
【０００１】
本発明は川床の下部に設けられた地下室より取水管先端を上下に移動可能な河
川取水装置に関する。
【背景技術】
【０００２】
河川から水を取って水力発電所等に供給するための取水システムであって、取
水設備を川底に埋設するようにした川底埋設型取水装置（特許文献1）、及び河
川の底面に設置する枠体と、前記枠体の上部に備える除塵スクリーンを具備し前
記除塵スクリーンを通過した水を枠体に備えた取水経路を通して貯水槽に供給す
る構成とする取水装置（特許文献２）はすでに提案されている。
又、河川取水装置では塵芥等の流入で問題点があり、この問題を解決しようとす
る提案が多数されている。（特許文献２、３，4等）

なお、上下に移動可能な河川取水装置としては、川底下に設けた固定取水筒内
に,、休止時は川底面より下方にあって閉止すると共に稼働時は川底面から上方
に位置して開口する取水口を側面に備えかつ天蓋を有する可動取水筒を設け、
前記固定取水筒にはその下部に取水管を接続し。その内部に前記可動取水筒を
浮動させる伸縮可能な浮動空気供給管を設けると共に、エアレーション(河川浄
化)用空気供給管を設け。前記取水口に除塵スクリーンを設けた河川水の取水装
置も提案されている。（特許文献５）
【先行技術文献】
【特許文献】
【０００３】
【特許文献１】特公平０７−３３６５４
【特許文献２】特３６２９４５２
【特許文献３】特２７８３１４９
【特許文献４】特３７１３５８３
【特許文献５】特３４７００４４
【発明の概要】
【発明が解決しようとする課題】
【０００４】
本発明は取水管先端を自然に近くかつ周囲の景観に調和した取水位置に取水時に
配置すると共に前記取水管先端を川面より上部に移動して定期的に浮遊物除去部
を清掃又は取り替え可能な河川取水装置を提供することを目的とする。
【課題を解決するための手段】
【０００５】
請求項１記載の河川取水装置は、川床の下部に設けられた地下室と、前記地下室
の上部壁に備えられ内部が防水されている貫通穴と、前記貫通穴の内部を上下に
移動可能な取水管とを有する。
【０００６】
請求項１記載の河川取水装置は取水管が川床の下部に設けられた地下室の上部
壁に備えられ内部が防水されている貫通穴の内部を上下に移動可能であるので
取水時に自然に近くかつ周囲の景観に調和した取水位置に取水管を配置すると共
に取水管の先端を川面より上部に移動して定期的に浮遊物除去部を清掃又は取り
替えることができる。
【０００７】
請求項２記載の河川取水装置は、川床の下部に設けられた地下室と、前記地下室
の上部壁に備えられ内部が防水されている貫通管と、前記貫通管の内部を上下に
移動可能な取水管とを有する。
【０００８】
請求項２記載の河川取水装置は取水管が川床の下部に設けられた地下室の上部
壁に備えられ内部が防水されている貫通管の内部を上下に移動可能であるので
取水時に自然に近くかつ周囲の景観に調和した取水位置に取水管を配置すると共
に取水管の先端を川面より上部に移動して定期的に浮遊物除去部を清掃又は取り
替えることができる。
【０００９】
請求項３記載の河川取水装置は、前記取水管が上部に先端取水口を有すると共に
下部に開閉可能な開閉弁部材を有することを特徴とする請求項１記載或いは請
求項２記載の河川取水装置である。
【００１０】
請求項４記載の河川取水装置は、前記貫通穴或いは前記貫通管の内部を上下に
移動する前記取水管の前記先端取水口の上部には掘削部材を配置し前記掘削部
材によって川床の下部を掘削することによって前記取水管を推進移動すると共に
掘 削土を前記先端取水口より排出することを特徴とする請求項３記載の河川取水
装置である。
【００１１】
請求項５記載の河川取水装置は、前記前記取水管の前記先端取水口を河川の水
面より上部に移動させて前記掘削部材を前記先端取水口から着脱すると共に前記
先端取水口を取水位置に復帰させるため前記取水管を下方向に移動することを特
徴とする請求項４記載の河川取水装置である。
【００１２】
請求項６記載の河川取水装置は、先端取水口に取替え可能なスクリーンを具備
する取水管を有し前記取水管が前記貫通穴或いは前記貫通管の内部を上下
に移動することを特徴とする請求項３、請求項４或いは請求項５記載の河川取水
装置である。
【００１３】
請求項７記載の河川取水装置は、前記取水管の先端取水口を水面より上部に移
動させて前記取水先端口に取り付けられたスクリーンを清掃又は取替えると共に
前記先端取水口を取水位置に復帰させるため前記取水管を下方向に移動するこ
とを特徴とする請求項３、請求項４或いは請求項５記載の河川取水装置である。
【００１４】
請求項８記載の河川取水装置は、川床の下部に設けられた地下室と、前記地下
室の上部壁に備えられ内部が防水されている貫通穴或いは貫通管と、前記貫通穴
或いは前記貫通管の内部を上下に移動可能な移動貫通管と、前記移動貫通管の
内部を上下に移動可能な取水管とを有する。
【００１５】
請求項８記載の河川取水装置は川床の下部に設けられた地下室の上部壁に備えら
れ内部が防水されている貫通穴或いは貫通管の内部を移動貫通管が上下に移動
可能であり、この移動貫通管の内部を取水管が上下に移動可能であるので取水時
に自然に近くかつ周囲の景観に調和した取水位置に移動貫通管及び取水管を配置
すると共に取水管の先端を川面より上部に移動して定期的に浮遊物除去部を清掃
又は取り替えることができる。また取水時には自然に近くかつ周囲の景観に調和し
た取水位置である川床に近い取水位置或いは川床の下部の取水位置に移動貫通
管の先端を配置すると共に取水管の先端を前記移動貫通管の先端より下部に配置
ことにより取水管の先端と移動貫通管の先端との間に砂等を堆積させ前記砂等を
濾過した河川水を取水できる。
【００１６】
請求項９記載の河川取水装置は、前記取水管が上部に先端取水口を有すると共に
下部に開閉可能な開閉弁部材を具備することを特徴とする請求項８記載の河川取
水装置である。
【００１７】
請求項１０記載の河川取水装置は、前記移動貫通管の上部には掘削部材を配置
し前記掘削部材によって川床の下部を掘削することによって前記移動貫通管を
推進移動すると共に掘削土を前記取水管の前記先端取水口より排出することを
特徴とする請求項９記載の河川取水装置である。
【００１８】
請求項１１記載の河川取水装置は、前記移動貫通管を河川の水面より上部に移
動させて前記掘削部材を前記移動貫通管から着脱すると共に前記移動貫通管及
び前記先端取水口を取水位置に復帰させるため下方向に移動することを特徴と
する請求項１０記載の河川取水装置である。
【００１９】
請求項１２記載の河川取水装置は、先端取水口に取替え可能なスクリーンを具
備する取水管を有し、前記取水管が前記移動貫通管の内部を上下移動するこ
とを特徴とする請求項８、請求項９、請求項１０、或いは請求項１１記載の河川取
水装置である。
【００２０】
請求項１３記載の河川取水装置は、前記取水管の先端取水口を水面より上部に移
動させて前記取水先端口に取り付けられたスクリーンを清掃又は取替えるとともに、
前記先端取水口を取水位置に復帰させるため前記取水管を下方向に移動すること
を特徴とする請求項８、請求項９、請求項１０、或いは請求項１１記載の河川取水装
置である。
【００２１】
請求項１４記載の河川取水装置は、川床の下部に設けられた地下室と、前記
地下室の上部壁に備えられた貫通穴或いは貫通管と、前記貫通穴或いは前記貫
通管の内を上下に移動可能で上部に大きな外形を有し下部に小さな外形を有す
る取水管と、前記貫通穴或いは前記貫通管の内径と同じ外形を有し、前記取水管
下部の小さな外形と同じ内径を有する固設貫通管とを備え、前記固設貫通管は、川
床に向かって上方向に移動する途中前記地下室の上部壁に設けられた前記貫通
穴或いは前記貫通管に固設され、前記取水管は固設された後の前記固設貫通管
の内部をさらに上下に移動可能なことを特徴とする河川取水装置である。
【００２２】
請項１４記載の河川取水装置は川床の下部に設けられた地下室の上部壁に備え
られた貫通穴或いは貫通管に固設された固設貫通管の内部を取水管が上下に
可能であるので取水時に自然に近くかつ周囲の景観に調和した取水位置に取水管
を配置すると共に取水管の先端を川面より上部に移動して定期的に浮遊物除去部
を清掃又は取り替えることができる。
【００２３】
請求項１５記載の河川取水装置は、前記固設貫通管は外形が前記地下室の内
形と同じであり、前記地下室の上端部で固設されることを特徴とする請求項１４記
載の河川取水装置である。
【００２４】
請求項１６記載の河川取水装置は、前記取水管が上部に先端取水口を有するとと
もに下部に開閉可能な開閉弁部材を有することを特徴とする請求項１４記載の河川
取水装置である。
【００２５】
請求項１７記載の河川取水装置は、川床の下部に掘削された地下室と、前記地下
室の上部壁に設けられた貫通穴或いは貫通管と、前記貫通穴或いは前記貫通管
の内を上下に移動可能で上部に大きな外形を有する着脱可能な掘削部材と取水
管先端とを上部に具備し下部に小さな外形を有する取水管と、前記貫通穴或いは
前記貫通管の内径と同じ外形を有し前記取水管下部の小さな外形と同じ内径を有
する固設貫通管とを有し、前記取水管が川床に向かって上方向に移動する途中、
前記固設貫通管を前記地下室の上部壁に設けられた前記貫通穴或いは前記貫
通管に固設した後、前記掘削部材によりさらに川床に向かって推進移動し前記取
水先端口が川面より上方に移動したとき前記掘削部材を前記取水先端口から着
脱すると共に前記取水管を取水位置に復帰させるため下方向に移動させることを
特徴とする河川取水装置である。
【００２６】
請求項１８記載の河川取水装置は、前記取水管の前記取水先端口を河川の水面よ
り上部に移動させて前記掘削部材を前記取水先端口から着脱すると共に前記取水
先端口を取水位置に復帰させるため前記取水管を下方向に移動することを特徴と
する請求項１７記載の河川取水装置である。
【００２７】
請求項１９記載の河川取水装置は、前記取水先端口に取替え可能なスクリーンを
具備し、前記取水管が前記固設貫通管の内部を上下に移動することを特徴とする
請求項１６、請求項１７或いは請求項１８記載の河川取水装置である。
【００２８】
請求項２０記載の河川取水装置は、前記取水管の取水先端口を水面より上部に移
動させて前記取水先端口に取り付けられたスクリーンを清掃又は取替えると共に、
前記取水先端口を取水位置に復帰させるため前記取水管を下方向に移動すること
を特徴とする請求項１６、請求項１７或いは請求項１８記載の河川取水装置である。
【００２９】
請求項２１記載の河川取水装置は、川床の下部に設けられた地下室と、前記地下
室の上部壁に備えられた貫通穴或いは貫通管と、前記貫通穴或いは前記貫通管
の内を上下に移動可能で上部に大きな外形と下部の小さな外形を有する移動貫通
管と、前記貫通穴或いは前記貫通管の内径と同じ外形を有し前記移動貫通管の下
部の小さな外形と同じ内径を有する固設貫通管と、前記移動貫通管の内部を上下
に移動可能な取水管を有し、前記固設貫通管は、川床に向かって上方向に移動
途中前記地下室の上部壁に設けられた前記貫通穴或いは前記貫通管に固設され、前記移動貫通管は固設された前記固設貫通管の内部を上下に移動可能であると
共に前記取水管は前記移動貫通管の内部を上下に移動可能なことを特徴とする。
【００３０】
請求項２１記載の河川取水装置は川床の下部に設けられた地下室の上部壁に備え
られた貫通穴或いは貫通管に固設された固設貫通管の内部を移動貫通管が上下
に移動可能でありこの移動貫通管の内部を取水管が上下に移動可能であるので取
水管の先端を川面より上部に移動して定期的に浮遊物除去部を清掃又は取り替え
ることができ、また取水時には自然に近くかつ周囲の景観に調和した取水位置であ
る川底に近い取水位置或いは川底の下部の取水位置に移動貫通管の先端を配置
すると共に取水管の先端を前記移動貫通管の先端より下部に配置することにより取
水管の先端と移動貫通管の先端との間に砂等を堆積させ前記砂等を濾過した河川
水を取水できる。
【００３１】
請求項２２記載の河川取水装置は、川床の下部に設けられた地下室と、前記地下
室の上部壁に備えられた貫通穴或いは貫通管と、前記貫通穴或いは前記貫通管
の内を上下に移動可能で上部に着脱可能な掘削部材と前記掘削部材取り付け部を
有し上部に大きな外形と下部の小さな外形を有する移動貫通管と、前記貫通穴或
いは前記貫通管の内径と同じ外形を有し前記移動貫通管下部の小さな外形と同
じ内径を有する固設貫通管と、前記移動貫通管の内部を上下に移動可能な取水管
を有し、前記移動貫通管が川床に向かって上方向に移動する途中前記固設貫通管
を前記地下室の上部壁に設けられた前記貫通穴或いは前記貫通管に固設した後、
前記掘削部材によりさらに川床に向かって推進移動し前記掘削部材取り付け部が
川面より上方に移動したとき前記掘削部材を前記掘削部材取り付け部から着脱す
ると共に前記移動貫通管及び前記取水管を取水位置に復帰させるため下方向に移
動させることを特徴とする。
【００３２】
請求項２２記載の河川取水装置は川床の下部に設けられた地下室の上部壁に備え
られた貫通穴或いは貫通管に固設された固設貫通管の内部を移動貫通管が上下
に移動可能でありこの移動貫通管の内部を取水管が上下に移動可能であるので取
水時に自然に近くかつ周囲の景観に調和した取水位置に移動貫通管及び取水管を
配置すると共に取水管の先端を川面より上部に移動して定期的に浮遊物除去部を
清掃又は取り替えることができる。
【００３３】
請求項２３記載の河川取水装置は、前記固設貫通管は外形が前記地下室の内
形と同じであり、前記地下室の上端部で固設されることを特徴とする請求項２１或
いは請求項２２記載の河川取水装置である。
【００３４】
請求項２４記載の河川取水装置は、前記取水管が上部に先端取水口を有するとと
もに下部に開閉可能な開閉弁部材を有することを特徴とする請求項２３記載の河川
取水装置である。
【００３５】
請求項２５記載の河川取水装置は、前記移動貫通管の前記先端取り付け部を河
川の水面より上部に移動させて前記掘削部材を着脱すると共に前記移動貫通管
及び前記取水管を取水位置に復帰させるため下方向に移動することを特徴とす
る請求項２４記載の河川取水装置である。
【００３６】
請求項２６記載の河川取水装置は、前記先端取水口に取替え可能なスクリーンを
具備し、前記取水管が前記固設貫通管の内部を上下に移動することを特徴とする
請求項２３、請求項２４或いは請求項２５記載の河川取水装置である。
【００３７】
請求項２７記載の河川取水装置は、前記固設貫通管は外形が前記地下室の外
形と同じであり、前記地下室の上端部で固設されることを特徴とする請求項２1或
いは請求項２２記載の河川取水装置である。
【発明を実施するための形態】
【００３８】
本発明による河川取水装置の第一の実施の形態は、川床の下部に地下室を掘削
し、前記地下室の上部壁に内部が防水されている貫通穴或いは貫通管を設け、前
記貫通穴或いは前記貫通管の内部を上端部に着脱可能な掘削部材を備え、上部
の先端取水口から掘削土を排出すると共に下部に開閉可能な開閉弁部材は具備
する取水管が前記掘削部材によって掘削することによって川床に向かって上方向に
移動する。
【００３９】
前記掘削部材が川面より上方に移動したとき前記掘削部材を着脱し、前記先端取
水口を取水位置に復帰させるため前記取水管を下方向に移動させる。
【００４０】
前記取水管は前記貫通穴或いは前記貫通管の内部を上下方向に移動可能であ
るので取水時には自然に近くかつ周囲の景観に調和した取水位置である川床に近
い取水位置或いは川床の下部の取水位置で前記取水管の前記先端取水口を配置
すると共に前記取水管の前記先端取水口を河川の水面より上部に移動させて定期
的に前記先端取水口に取り付けられたスクリーンを清掃又は新たにスクリーンを取
り付けた後、前記取水管を取水位置に復帰させることができる。
【００４１】
前記取水管の形状は円形、楕円形、矩形、正方形等任意の形状が本発明の要旨
の範囲である。
【００４２】
本発明による河川取水装置の第二の実施の形態は、川床の下部に地下室を掘削
し、前記地下室の上部壁に内部が防水されている貫通穴或いは貫通管を設け、前
記貫通穴或いは前記貫通管の内部を川床に向かって上方向に移動する上端部に
着脱可能な掘削部材を具備する移動貫通管と、前記移動貫通管の内部を上下に移
動し上部の先端取水口より掘削土を排出するとともに下部に開閉可能な開閉弁部
材は具備する取水管が前記掘削部材によって掘削することによって川床に向かって
上方向に移動する。
前記掘削部材が川面より上方に移動したとき前記掘削部材を着脱し、前記移動貫
通管及び前記取水管を取水位置に復帰させるため下方向に移動させる。
【００４３】
取水時には自然に近くかつ周囲の景観に調和した取水位置である川床に近い取水
位置或いは川床の下部の取水位置に前記移動貫通管を配置すると共に前記取水
管の先端取水口を前記移動貫通管の先端部より下部に配置することにより前記先
端取水口と前記移動貫通管の先端部との間に砂等を堆積させ前記砂等を濾過した
河川水を取水可能である。
【００４４】
また前記取水管は前記移動貫通管の内部を上下方向に移動可能であるので定
期的に前記先端取水口に取り付けられたスクリーンを清掃又は新たにスクリーンを
取り付けた後前記取水管を取水位置に復帰させることができる。
【００４５】
本発明による河川取水装置の第三の実施の形態は、川床の下部に掘削された地
下室と、前記地下室の上部壁に設けられた貫通穴或いは貫通管と、前記貫通穴
或いは前記貫通管の内部を上端部に着脱可能で大きな外形を有する掘削部材と
同じ外形の上部先端取水口を具備すると共に下部に開閉可能な開閉弁部材を具
備し小さな外形を有する取水管が前記掘削部材によって掘削することによって川
床に向かって上方向に推進移動すると共に前記先端取水口より掘削土を排出す
る。
【００４６】
また上部の先端取水口の下側に前記貫通穴或いは前記貫通管の内径と同じ外形
で前記取水管下部の小さな外形を摺動する固設貫通管を備え、前記固設貫通管を
前記取水管が川床に向かって上方向に移動する途中前記地下室の上部壁に設け
られた前記貫通穴或いは前記貫通管に固設した後、前記掘削部材によりさらに川
床に向かって掘削し前記掘削部材が川面より上方に移動したとき前記掘削部材を
着脱し、前記取水管を取水位置に復帰させるため下方向に移動させる。
【００４７】
前記取水管は前記固設貫通管の内部を上下方向に移動可能であるので、
取水時には自然に近くかつ周囲の景観に調和した取水位置である川床に近い取水
位置或いは川床の下部の取水位置で前記取水管を配置すると共に前記取水管の
前記先端取水口を河川の水面より上部に移動させて定期的に先端取水口に取り付
けられたスクリーンを清掃又は新たにスクリーンを取り付けた後、前記取水管を取
水位置に復帰させることができる。
【００４８】
本発明による河川取水装置の第三の実施の形態は、前記固設貫通管の外形が
前記地下室の内形と同じであり、前記固設貫通管が前記地下室の上端部で固設
される第三の実施の形態も可能である。
【００４９】
本発明による河川取水装置の第四の実施の形態は、川床の下部に地下室を掘削
し、前記地下室の上部壁に貫通穴或いは貫通管を設け、前記貫通穴或いは前記貫
通管の内部を上部に大きな外形と下部の小さな外形を有する移動貫通管が配置さ
れ、前記移動貫通管の上端部で着脱可能な同じ外形を有する掘削部材を具備す
る。
【００５０】
前記移動貫通管の内径と同じ小さな外形を有する取水管が上部に先端取水口と下
部に開閉可能な開閉弁部材とを備えて前記移動貫通管内を摺動可能に配置され、
前記掘削部材が掘削することによって前記移動貫通管及び前記取水管が川床に向
かって上方向に移動する。
【００５１】
また前記地下室の上部壁に設けられた前記貫通穴或いは前記貫通管の内径と
同じ外形で前記移動貫通管の下部の小さな外形を摺動する固設貫通管を備え、
前記移動貫通管及び前記取水管が川床に向かって上方向に移動する途中前記
固設貫通管は地下室の上部壁に設けられた前記貫通穴或いは前記貫通管に固
設された後、前記掘削部材が川床に向かってさらに掘削し前記掘削部材が川面
より上方に移動したとき前記掘削部材を前記移動貫通管から着脱し、取水位置に
復帰させるため前記移動貫通管及び前記取水管を下方向に移動させる。
【００５２】
取水時には自然に近くかつ周囲の景観に調和した取水位置である川床に近い取水
位置或いは川床の下部の取水位置に前記移動貫通管を配置すると共に前記取水
管の先端取水口を前記移動貫通管の先端部より下部に配置することにより前記先
端取水口と前記移動貫通管の先端部との間に砂等を堆積させ前記砂等を濾過した
河川水を取水可能である。
【００５３】
また前記取水管は前記移動貫通管の内部を上下方向に移動可能であるので定
期的に先端取水口に取り付けられたスクリーンを清掃又は新たにスクリーンを取り
付けるため前記先端取水口を河川の水面より上部に移動させた後、前記取水管を
取水位置に復帰させることができる。
【００５４】
本発明による河川取水装置の第四の実施の形態は、前記固設貫通管の外形が
前記地下室の内形と同じであり、前記固設貫通管が前記地下室の上端部で固設
される第四の実施の形態も可能である。
【００５５】
（実施例１）
本発明による河川取水装置の望ましい第一の実施例は、第一の実施の形態の実
施例であり、まず川床の下部に比較的上下方向に広い地下室を掘削し、前記地下
室の上部壁に内部が防水されている円形貫通穴或いは円形貫通管を設ける。
【００５６】
上端部に着脱可能な円形掘削部材を具備すると共に上部に前記円形掘削部材
によって掘削された掘削土を排出する取水先端部と下部に開閉可能な開閉弁
部材は具備する円形取水管が前記円形貫通穴或いは前記円形貫通管を貫通
し、前記円形掘削部材によって掘削することによって川床に向かって上方向に
移動する。
【００５７】
前記円形掘削部材は先端部にカッターと周辺部に水噴射掘削部を有するので先
端部と共に周辺も掘削出来、前記円形取水管は川床に向かって上方向に容易に
移動可能となる。
【００５８】
前記円形掘削部材が川面より上方に移動したとき前記円形掘削部材を着脱し、
前記円形取水部材を取水位置に復帰させるため前記円形取水管を下方向に移
動させる。
【００５９】
前記円形取水管は前記円形貫通穴或いは前記円形貫通管の内部を上下方向
に移動可能であるので取水時には自然に近くかつ周囲の景観に調和した取水位
置である川床に近い取水位置或いは川床の下部の取水位置で前記円形取水管を
配置すると共に前記円形取水管の前記先端取水口を河川の水面より上部に移動
させて定期的に先端取水口に取り付けられたスクリーンを清掃又は新たにスクリ
ーンを取り付けた後、前記円形取水管を取水位置に復帰させることができる。
【００６０】
（実施例２）
本発明による河川取水装置の望ましい第二の実施例は、第二の実施の形態の実
施例であり、まず川床の下部に比較的上下方向に広い地下室を掘削し、前記地下
室の上部壁に内部が防水されている矩形貫通穴或いは矩形貫通管を設ける。
【００６１】
上端部に着脱可能な矩形掘削部材を具備する矩形移動貫通管が前記矩形貫通
穴或いは前記矩形貫通管の内部を川床に向かって上方向に移動する。
【００６２】
上部の先端取水口より掘削土を排出するとともに下部に開閉可能な開閉弁部材を
具備する前記矩形取水管が前記矩形移動貫通管の内部を上下に移動可能で、前
記矩形掘削部材によって掘削することによって前記矩形移動貫通管及び前記矩形
取水管が川床に向かって上方向に移動する。
【００６３】
前記矩形掘削部材が川面より上方に移動したとき前記矩形移動貫通管から前記矩
形掘削部材を着脱し、前記矩形移動貫通管及び前記矩形取水管を取水位置に復
帰させるため下方向に移動させる。
【００６４】
取水時には自然に近くかつ周囲の景観に調和した取水位置である川床に近い取水
位置或いは川床の下部の取水位置に前記矩形移動貫通管を配置すると共に前記
矩形取水管の先端取水口を前記矩形移動貫通管の先端部より下部に配置すること
により前記先端取水口と前記矩形移動貫通管の先端部との間に砂等を堆積させ前
記砂等を濾過した河川水を取水可能である。
【００６５】
また前記矩形取水管は前記矩形移動貫通管の内部を上下方向に移動可能であ
るので定期的に先端取水口に取り付けられたスクリーンを清掃又は新たにスクリー
ンを取り付けるため前記先端取水口を河川の水面より上部に移動させた後、前記
矩形取水管を取水位置に復帰させることができる。
【００６６】
本発明による河川取水装置の望ましい第三の実施例は、第三の実施の形態の実
施例であり、まず川床の下部に比較的上下方向に広い地下室を掘削し、前記地下
室の上部壁に正方形貫通穴或いは正方形貫通管を設ける。
【００６７】
上端部に着脱可能な正方形掘削部材を具備する正方形移動貫通管が前記正方
形貫通穴或いは前記正方形貫通管の内部を川床に向かって上方向に移動する。
【００６８】
前記正方形貫通穴或いは前記正方形貫通管の内部を前記正方形掘削部材と同じ
外形の上部先端取水口を具備すると共に下部に開閉可能な開閉弁部材を具備し小
さな外形を有する取水管が前記正方形掘削部材によって掘削することによって
川床に向かって上方向に推進移動する。また前記上部取水先端部材の下側に前記
地下室の上部壁の前記正方形貫通穴或いは前記正方形貫通管の内径と同じ外形
で前記正方形取水管の下部の小さな正方形外形を摺動する正方形固設貫通管を
備え、前記正方形固設貫通管は前記正方形取水管が川床に向かって上方向に移
動する途中前記地下室の上部壁に設けられた前記正方形貫通穴或いは前記正
方形貫通管に固設された後、前記正方形掘削部材によって川底に向かってさらに
掘削すると共に掘削された掘削土は前記先端取水口より排出され、前記正方形掘
削部材が川面より上方に移動したとき前記正方形掘削部材を前記正方形取水管
から着脱し、前記上部取水先端部材を取水位置に復帰させるため前記正方形取
水管を下方向に移動させる。
【００６９】
前記正方形取水管は前記正方形固設貫通管の内部を上下方向に移動可能であ
るので取水時には自然に近くかつ周囲の景観に調和した取水位置である川床に近
い取水位置或いは川床の下部の取水位置で前記取水管を配置すると共に前記正
方形取水管の前記先端取水口を河川の水面より上部に移動させて定期的に先端
取水口に取り付けられたスクリーンを清掃又は新たにスクリーンを取り付けた後、前
記取水管を取水位置に復帰させることができる。
【００７０】
（実施例４）
本発明による河川取水装置の望ましい第四の実施例は、第四の実施の形態の実
施例であり、まず川床の下部に比較的上下方向に広い地下室を掘削し、前記地下
室の上部壁に内部が防水されている楕円形貫通穴或いは楕円形貫通管を設け
る。
【００７１】
上端部に着脱可能な楕円形掘削部材を具備し上部に大きな外形を有する楕円形移
動貫通管が前記楕円形貫通穴或いは前記楕円形貫通管の内部を川床に向かって
上方向に移動する。
【００７２】
上部の先端取水口より掘削土を排出するとともに下部に開閉可能な開閉弁部材を
具備し、前記楕円形移動貫通管の内径と同じ小さな外形を有する楕円形取水管が
前記楕円形移動貫通管の内部を上下に移動可能で、前記楕円形掘削部材によって
掘削することによって前記楕円形移動貫通管及び前記楕円形取水管が川床に向か
って上方向に移動する。
【００７３】
また前記地下室の上部壁に設けられた前記楕円形貫通穴或いは前記楕円形貫
通管の内径と同じ外形で前記楕円形移動貫通管の下部の小さな外形を内部で摺動
させる楕円形固設貫通管を備え、前記楕円形移動貫通管及び前記楕円形取水管
が川床に向かって上方向に移動する途中前記楕円形固設貫通管は地下室の上部
壁に設けられた前記楕円形貫通穴或いは前記楕円形貫通管に固設された後、前記
楕円形掘削部材が川床に向かってさらに掘削し、前記楕円形移動貫通管の内径と
同じ小さな外形を有する前記楕円形取水管が上部に先端取水口と下部に開閉可能
な開閉弁部材とを備えて前記楕円形移動貫通管内を摺動可能に配置されているの
で、前記楕円形掘削部材が掘削することによって前記楕円形移動貫通管及び前記
楕円形取水管が川床に向かって上方向に移動する。
【００７４】
前記楕円形掘削部材が川面より上方に移動したとき前記楕円形掘削部材を前記楕
円形移動貫通管から着脱し、前記楕円形移動貫通管及び前記楕円形取水管を取
水位置に復帰させるため下方向に移動させる。
【００７５】
取水時には自然に近くかつ周囲の景観に調和した取水位置である川床に近い取水
位置或いは川床の下部の取水位置に前記楕円形移動貫通管を配置すると共に前
記楕円形取水管の先端取水口を前記楕円形移動貫通管の先端部より下部に配置
することにより前記先端取水口と前記楕円形移動貫通管の先端部との間に砂等を
堆積させ前記砂等を濾過した河川水を取水可能である。
【００７６】
また前記楕円形取水管は前記楕円形移動貫通管の内部を上下方向に移動可能
であるので定期的に先端取水口に取り付けられたスクリーンを清掃又は新たにスク
リーンを取り付けるため前記先端取水口を河川の水面より上部に移動させた後、前
記楕円形取水管を取水位置に復帰させることができる。
【００７７】
（実施例５）
本発明による河川取水装置の望ましい第五の実施例は、前述の第四の実施例の
固設貫通管の外形が前記地下室の内形と同じで、前記固設貫通管が前記地下室
の上端部で固設される第四の実施の形態の実施例である。
【００７８】
上端部に着脱可能な前記地下室の内形と同じ外形の矩形掘削部材を具備すると
共に上部に前記地下室の内形と同じ外形を有し下部に小さな外形を有する
矩形移動貫通管が前記地下室の内部を川床に向かって上方向に移動する。
【００７９】
上部の先端取水口より掘削土を排出するとともに下部に開閉可能な開閉弁部材を
具備し、前記矩形移動貫通管の内径と同じ外形を有する矩形取水管が前記矩形移
動貫通管の内部を上下に移動可能で、前記矩形掘削部材によって掘削することに
よって前記矩形移動貫通管及び前記矩形取水管が川床に向かって上方向に移動
する。
また前記地下室の内径と同じ外形で前記矩形移動貫通管の下部の小さな外形を
内部で摺動させる矩形固設貫通管を備え、前記矩形移動貫通管及び前記矩形取
水管が川床に向かって上方向に移動する途中前記矩形固設貫通管は地下室の上
端部に固設された後、前記矩形掘削部材が川床に向かってさらに掘削し、前記矩
形移動貫通管の内径と同じ外形を有する前記矩形取水管が上部に先端取水口と
下部に開閉可能な開閉弁部材とを備えて前記矩形移動貫通管内を摺動可能に配
置されているので、前記矩形掘削部材が掘削することによって前記矩形移動貫通
管及び前記矩形取水管が川床に向かって上方向に移動する。
【００８０】
前記矩形掘削部材が川面より上方に移動したとき前記矩形掘削部材を前記矩形
移動貫通管から着脱し、前記矩形移動貫通管及び前記矩形取水管を取水位置
に復帰させるため下方向に移動させる。
【００８１】
取水時には自然に近くかつ周囲の景観に調和した取水位置である川床に近い取水
位置或いは川床の下部の取水位置に前記矩形移動貫通管を配置すると共に前記
矩形取水管の先端取水口を前記矩形移動貫通管の先端部より下部に配置すること
により前記先端取水口と前記矩形移動貫通管の先端部との間に砂等を堆積させ前
記砂等を濾過した河川水を取水可能である。
【００８２】
また前記矩形取水管は前記矩形移動貫通管の内部を上下方向に移動可能である
ので定期的に先端取水口に取り付けられたスクリーンを清掃又は新たにスクリーン
を取り付けるため前記先端取水口を河川の水面より上部に移動させた後、前記矩
形取水管を取水位置に復帰させることができる。